(57)【要約】【課題】  対立する要求をより叶えることができるゆりかご型揺り椅子を提供すること。【解決手段】  ２つの主要部品、即ち、（i）接続されて楕円状のフレームを形成する２つの半分の部品（１２）、及び（ii）弾性と可等性を有する高分子材料を十字状に成型して形成され、弾性と可等性を有する台座（３）からなる。フレームの半分の部品は、チェーン吊り下げ部品（４）を固定するための穴と、２つの半分の部品を一体に固定するための穴とを有する。台座（８）は、上部の輪にスロット状に嵌り込むことができるように、最も端の部分に設けられた開口を介してフレームに固定される。かとう性の台座（８）は平に成型され、リム（３０）は折り返されてフレーム（２）に固定される。完成した組立品は、幼い子供用の安全な揺り椅子をなす。【選択図】図１
2008507387.tif 000002
【特許請求の範囲】
【請求項１】
硬いフレームと、前記硬いフレーム上に設けられ、揺り椅子を吊るすためのロープ又はチェーンを取り付ける吊り下げ手段と、かとう性を有する材料からなり、前記硬いフレームに取り付けられると共に吊り下げられ、子供が脚を通して伸ばす開口部を有する台座をなすウェッブとを備えた椅子において、
前記台座がバスケット状の形状を有し、前記ウェッブの材料がかとう性を有する、ことを特徴とする子供用ゆりかご型揺り椅子。
【請求項２】
前記フレームが環状である、ことを特徴とする請求項１に記載の子供用ゆりかご型揺り椅子。
【請求項３】
前記環が、２つ以上の相互に嵌合する部品から成る、ことを特徴とする請求項２に記載の子供用ゆりかご型揺り椅子。
【請求項４】
前記環が、２つの同一の部品からなり、それぞれの部品が雌の端部と雄の端部を有し、１つの部品の雄の端部が他の部品の雌の端部に固定される、ことを特徴とする請求項３に記載の子供用ゆりかご型揺り椅子。
【請求項５】
前記環状の部品が、相互にネジによって固定される、ことを特徴とする請求項４に記載の子供用ゆりかご型揺り椅子。
【請求項６】
前記フレームが、管状である、ことを特徴とする請求項１乃至請求項５のいずれか１項に記載の子供用ゆりかご型揺り椅子。
【請求項７】
前記フレームが、金属製である、ことを特徴とする請求項１乃至請求項６のいずれか１項に記載の子供用ゆりかご型揺り椅子。
【請求項８】
前記フレームが、ステンレス鋼製である、ことを特徴とする請求項７に記載の子供用ゆりかご型揺り椅子。
【請求項９】
前記フレームが、楕円状である、ことを特徴とする請求項１乃至請求項８のいずれか１項に記載の子供用ゆりかご型揺り椅子。
【請求項１０】
前記楕円状の部分が、弧状の端部と直線状の側部とを有する、ことを特徴とする請求項９に記載の子供用ゆりかご型揺り椅子。
【請求項１１】
前記部品間の接続が、前記直線状の側部において行われる、ことを特徴とする請求項３かつ請求項１０に記載の子供用ゆりかご型揺り椅子。
【請求項１２】
前記ウェッブが、突き出したリム付きの中央部を有し、前記リムが前記フレームに接続され、前記リム間の空間が前記開口部を定義する、ことを特徴とする請求項１乃至請求項１１のいずれか１項に記載の子供用ゆりかご型揺り椅子。
【請求項１３】
前記中央部が、前記中央部を保持するための交差する少なくとも２つの外部リブを有する、ことを特徴とする請求項１２に記載の子供用ゆりかご型揺り椅子。
【請求項１４】
前記外部リブの深さが、前記ウェッブの一般的な厚さよりも大きい、ことを特徴とする請求項１３に記載の子供用ゆりかご型揺り椅子。
【請求項１５】
少なくとも１つの前記外部リブが、前記各リムに沿って設けられる、ことを特徴とする請求項１２乃至請求項１４のいずれか１項に記載の子供用ゆりかご型揺り椅子。
【請求項１６】
前記各リムが、前記フレームが通り前記ウェッブを前記フレームに取り付ける端部に貫通口を有する、ことを特徴とする請求項１２乃至請求項１５のいずれか１項に記載の子供用ゆりかご型揺り椅子。
【請求項１７】
前記リムが、ケーブル又はワイヤー状の内部補強材を有する、ことを特徴とする請求項１２乃至請求項１６のいずれか１項に記載の子供用ゆりかご型揺り椅子。
【請求項１８】
前記内部補強材が、ステンレス鋼製のワイヤーロープからなる、ことを特徴とする請求項１７に記載の子供用ゆりかご型揺り椅子。
【請求項１９】
前記内部補強材が、前記貫通口を取り囲む目孔部において終端する、ことを特徴とする請求項１７又は請求項１８に記載の子供用ゆりかご型揺り椅子。
【請求項２０】
前記目孔部が、前記ワイヤー又はケーブルの端部で折り返され、前記ワイヤー又はケーブルの本体近傍で金属製のフェルール内に締めこまれて固定されてなる、ことを特徴とする請求項１９に記載の子供用ゆりかご型揺り椅子。
【請求項２１】
前記内部補強材が、各端部に目孔部を有する複数本のケーブル又はワイヤーからなり、前記ケーブル又はワイヤーが前記中央部を通り、ケーブル又はワイヤーの前記目孔部が前記フレームの対向する側部に取り付けられる、ことを特徴とする請求項１９又は請求項２０に記載の子供用ゆりかご型揺り椅子。
【請求項２２】
前記ウェッブは、平面に展開したときに十字形状をなす、ことを特徴とする請求項１乃至請求項２１のいずれか１項に記載の子供用ゆりかご型揺り椅子。
【請求項２３】
前記ウェッブが、高分子材料からなる、ことを特徴とする請求項１乃至請求項２２のいずれか１項に記載の子供用ゆりかご型揺り椅子。
【請求項２４】
前記ウェッブが、６〜１６ｍｍの範囲を含む一般的な厚さを有する、ことを特徴とする請求項２３に記載の子供用ゆりかご型揺り椅子。
【請求項２５】
前記ウェッブが、９〜１４ｍｍの範囲を含む一般的な厚さを有する、ことを特徴とする請求項２４に記載の子供用ゆりかご型揺り椅子。
【請求項２６】
前記ウェッブが、成型可能な高分子材料からなりウェッブを平に成型して形成され、前記リムが前記フレームへの取り付けのために中央部から折り返される、ことを特徴とする請求項２３乃至請求項２５のいずれか１項に記載の子供用ゆりかご型揺り椅子。
【請求項２７】
前記高分子材料が、天然又は合成のゴム材料である、ことを特徴とする請求項２３乃至請求項２６のいずれか１項に記載の子供用ゆりかご型揺り椅子。
【請求項２８】
前記高分子材料が、ＰＶＣ−ニトリルゴムである、ことを特徴とする請求項２７に記載の子供用ゆりかご型揺り椅子。
【請求項２９】
前記ウェッブの材料が、７０〜７５の範囲を含むショアー硬さを有する、ことを特徴とする請求項１乃至請求項２８のいずれか１項に記載の子供用ゆりかご型揺り椅子。
【請求項３０】
前記吊り下げ手段が、前記フレームに設けられボルトを受ける開口を有する、ことを特徴とする請求項１乃至請求項２９のいずれか１項に記載の子供用ゆりかご型揺り椅子。
【請求項３１】
各成型されたスリーブが、前記フレーム上の前記各吊り下げ手段の近傍に設けられる、ことを特徴とする請求項１乃至請求項３０のいずれか１項に記載の子供用ゆりかご型揺り椅子。
【請求項３２】
前記吊り下げ手段がＵ−ボルトを有し、前記フレームの前記開口が前記Ｕ−ボルトを受けるため対に形成される、ことを特徴とする請求項３０又は請求項３１に記載の子供用ゆりかご型揺り椅子。
【請求項３３】
前記Ｕ−ボルトの前記突出部が、ネジが形成され、前記フレームを上部から底部に貫通し（揺り椅子の向き設定の場合）、前記フレームの下でナットによって固定される、ことを特徴とする請求項３２に記載の子供用ゆりかご型揺り椅子。
【請求項３４】
前記ナットが、外れ防止構造のナットである、ことを特徴とする請求項３３に記載の子供用ゆりかご型揺り椅子。
【請求項３５】
前記ナットが、接近を防止するカバーが設けられている、ことを特徴とする請求項３４に記載の子供用ゆりかご型揺り椅子。
【請求項３６】
前記各Ｕ−ボルトの弧状部が、高分子材料のスリーブによって囲まれている、ことを特徴とする請求項３２乃至請求項３５のいずれか１項に記載の子供用ゆりかご型揺り椅子。
【請求項３７】
前記高分子材料のスリーブが、前記弧状部近傍に形成されている、ことを特徴とする請求項３６に記載の子供用ゆりかご型揺り椅子。
【請求項３８】
金属製の吊り下げチェーンが、設けられ、前記吊り下げ手段に取り付けられる、ことを特徴とする請求項１乃至請求項３７のいずれか１項に記載の子供用ゆりかご型揺り椅子。
【請求項３９】
実質的に付随の図面を参照してここに記載され、かつ、付随の図面によって図示された子供用ゆりかご型揺り椅子。
【請求項４０】
Ｕ字の弧状部近傍に高分子材料のスリーブを有する、ことを特徴とするＵ−ボルト。
【発明の詳細な説明】
【技術分野】
【０００１】
本発明は、子供用ゆりかご型揺り椅子に関する。
【０００２】
長年にわたり、子供用ゆりかご型揺り椅子に関しては多くの提案がなされている。強度、耐久性、製造容易性、経済性、破損耐性、取り分け衝撃の際の安全性に対する対立する要求を叶えることは非常に難しい。さらに、子供が揺り椅子にぶつかったときに子供が怪我をしないように補償する衝撃テストをパスする程度に、椅子は安全でなければならない。
【０００３】
初期のゆりかご型揺り椅子の例は、米国特許第１４０１５９５号の明細書に記載されている。その明細書によれば、布からなるフレキシブル・シート・ポケットが硬いシートフレームから吊り下げられている。硬いフレームは製造が複雑でそれゆえ高価につき、フレキシブル・シート・ポケットは破損しやすく、そして、ポケットは、子供を座らせる足入れ口を有し子供に実際のいかなる動きを与えることもできない、実質的な欠陥作となっている。
【０００４】
発明者の英国特許第２２１５３１５号の特許請求の範囲には、硬いフレームはなく、ゴム内に埋め込まれた鉄製のチェーンを有する揺り椅子が開示されている。全く硬い部品がないため、その椅子は、それを使用する子供には特に快適というわけではない。
【０００５】
発明者の英国特許第１５３５７２８号の明細書には、硬いシート部材の端部がバックル構造に基づいて特殊な衝撃吸収ゴム構造によって囲まれる、ベンチ型揺り椅子が開示されている。同一の衝撃吸収ゴム構造は、発明者によって、ゆりかご型揺り椅子の全ての硬いシートとフレーム部品に適用されている。そのようなゆりかご型椅子は、しかしながら、製造することが複雑で高価である。
【０００６】
部分的に衝撃吸収構造を硬い端部に適用する他の方法が、発明者の英国特許２２６７２２３号の明細書に開示されている。その明細書によれば、衝撃吸収のバックル構造は、エネルギーが蝶つがい的動作によって吸収される構造によって置き換えられている。そのような構造をゆりかご型揺り椅子の全ての硬いシート及びフレーム部品に適用することは、また、製造が複雑で高価につくことになる。
【特許文献１】米国特許第１４０１５９５号
【特許文献２】英国特許第２２１５３１５号
【特許文献３】英国特許第１５３５７２８号
【発明の開示】
【発明が解決しようとする課題】
【０００７】
本発明の目的は、上記の対立する要求をより叶えることができるゆりかご型揺り椅子を提供することである。
【課題を解決するための手段】
【０００８】
本発明は、硬いフレームと、前記硬いフレーム上に設けられ、揺り椅子を吊るすためのロープ又はチェーンを取り付ける吊り下げ手段と、かとう性を有する材料からなり、前記硬いフレームに取り付けられると共に吊り下げられ、子供が脚を通して伸ばす開口部を有する台座をなすウェッブとを備えた椅子において、前記台座がバスケット状の形状を有し、前記ウェッブの材料がかとう性を有する、ことを特徴とする子供用ゆりかご型揺り椅子を提供する。
【０００９】
そのような椅子は、かとう性を有すると共に、衝撃の際に衝撃のエネルギーを吸収して変形する台座を用いて安全性が達成される。もし揺り椅子が全て、弾性とかとう性を有する材料からなるならば、人間工学上好ましくなく、それを使用する子供は快適ではない。硬いフレームと弾性及びかとう性を有するシートとの組み合わせは、子供が手で適切に握れる位置に快適にシートに座ることを可能にする。本椅子は、また、強度、耐久性、製造容易性、経済性、及び破損耐性に関する要請をかなえることができる
【００１０】
上記の米国特許の明細書によって例示されている従来技術の「ポケット」に対してバスケット状のキャリアを使うことは、子供に大いなる動きの自由度と快適性を与える。「バスケット状」という言葉で、所定の３次元形状と、ぶらぶらするバックでないバスケットの形状とを意味する。ウェッブにかとう性の材料を使用することは、バスケットの形状を維持することと、衝撃の際のエネルギー吸収機構を提供すること、の２重の目的がある。これに対して、上記の発明者の初期の揺り椅子に比較して、各硬い端部をエネルギー吸収構造によって保護することは必要とされない。本発明による揺り椅子において、硬いフレームは局部的であると考えられ、使用において実際局部的な端部の保護を必要としない。その代わり、台座それ自身は、それを構成するかとう性の材料のため固有のエネルギー吸収機構が与えられている。
【００１１】
好ましくは、フレームは環状をなす。そのような構成は、上部である一方、特に簡易に製造される。
【００１２】
好適には、環は、２つ又はそれ以上の相互に嵌合する部品からなる。この特徴は、特にもし特殊な形状の感が望まれる場合に、製造を簡易にする。
【００１３】
好ましくは、環は、２つの同一の部品からなり、各部品が雌の端部と雄の端部とを有し、１つの部品の雄の端部が他の部品の雌の端部に固定される。この特徴は、製造が簡単で丈夫な組立品を提供する。
【００１４】
環の部品は、相互にネジによって固定されるのでもよい。これによって、組立を例えば溶接無しにできる。
【００１５】
フレームは、管状であってもよい。この特徴は、強さと軽量を兼ね備えさせることができる。
【００１６】
フレームは、好ましくは金属製である。金属が好ましいが、代わりに、適切なプラスチック材料を使用するのでもよい。
【００１７】
フレームは、ステンレス鋼製であってもよい。ステンレス鋼は、強度と耐錆性と結び付ける利点を有する。
【００１８】
好ましくは、フレームは楕円状である。この形状は、子供への快適性と、動かすように揺らして使用するための空間の有効使用と、を結び付けることができる。
【００１９】
好ましくは、台形は、弧状の端部と直線状の側部とを有する。そのような形状は、製造が簡易である。
【００２０】
好ましくは、部品間の接続は、直線状の側部において行われる。この特徴は、製造と組立を簡単化する。
【００２１】
好ましくは、ウェッブは、突き出したリム付きの中央部を有し、リムがフレームに接続され、リム間の空間が開口部を定義する。これは、装置を特別に簡易に形成する方法を表す。その代わり、開口部は、部材内に形成されるのでもよい。
【００２２】
好ましくは、中央部は、少なくとも２つの交差し、中央部を平に保持する外部リブを有する。このようにして、台座は、単なる穴つきのバッグにはならず、子供が座る明確なシート位置を有することを、保証する。
【００２３】
好ましくは、外部リブの深さは、ウェブの一般的な厚さより大きい。これらの特徴は、リグが中央部を平に保持することを特に有効にすることができる。
【００２４】
好ましくは、少なくとも１つの外部リブが各リブに沿って提供される。リブは、構造の弾性強度を増加させ、衝撃の際に実質的にシートの大部分に力をかけず大きな安全性を提供する。
【００２５】
好ましい、各リムは、フレームが貫通しウェッブをフレームに取り付ける端部に貫通口を有する。これは、部材をフレームに取り付ける特に単純な手段を提供する。
【００２６】
好ましくは、リムは、ケーブル又はワイヤーの形状の内部補強材を有する。これによって、使用上の安全性を損なうことなく、破損耐性と強度を増加させることができる。
【００２７】
内部補強材は、ステンレス鋼製のワイヤーロープからなるのでもよい。このようにして、錆びることによって補強性能を損なうことを回避することができる。
【００２８】
内部補強材は、前記開口を囲む目孔部で終端するのでもよい。このようにして、ウェッブのフレームへの取り付けの安全性を向上することができる。
【００２９】
各目孔部は、ワイヤー又はケーブルの端部を折り込み、ワーヤー又はケーブルの本体近傍の金属フェルール内に締めこむことによって、形成される。これは、製造の簡易な方法を表す。
【００３０】
好ましくは、内部補強材は、各端部に目孔部を有する複数本のケーブル又はワイヤーを有し、ケーブル又はワーヤーが前記中央部を貫通し、そして、ケーブル又はワーヤー目孔部がフレームの対向する側部に取り付けられる。このようにして、フレームに取り付けられ、揺り椅子を使用している子供の下を通る内部補強材によって、付加された安全性を達成できる。
【００３１】
好ましくは、ウェッブは、平面に展開したときに十字状の形状をなす。この形状は、シートに対して非常に満足のいく形状を定義する。
【００３２】
好ましくは、ウェッブは、高分子材料からなる。強度、耐久性、及び弾性、並びに成型製造可能性が高分子材料を用いることによって達成できる。
【００３３】
好ましくは、ウェッブは６〜１６ｍｍの範囲を含む一般の厚さを有し、より好ましくは、９〜１４ｍｍの範囲を含む厚さを有する。これらの寸法は、強度、耐久性、及び衝撃における安全性を兼ね備えるのに好ましい。
【００３４】
好ましくは、ウェッブは成型可能な高分子材料からなり、平に成型して形成され、リムがフレームに取り付けるために中央部から折り込まれる。
【００３５】
好ましくは、高分子材料は、天然又は合成のゴム材料である。特に、高分子材料は、ＰＶＣニトリルゴムでもよい。
【００３６】
好ましくは、ウェッブの材料は、ショアー硬さが６０〜８０の範囲を含み、より好ましくは、７０〜７５を含む。これらの硬さは、前記の弾性を提供するために特に適している。
【００３７】
各成型されたスリーブは、フレーム上の各吊り下げ手段の周辺に設けられるのでもよい。これにより、子供が突いたり引っ掛かったりする小さい穴を塞ぐことができる。
【００３８】
吊り下げ手段は、フレーム上に設けられボルトを受ける穴からなるのでもよい。特に、吊り下げ手段は、Ｕ−ボルトとＵ−ボルトを受けるためにフレーム中に設けられた一対の穴からなるのでもよい。
【００３９】
好適には、Ｕ−ボルトの突出部は、ネジが形成され、フレームを上部から底部に貫通し（揺り椅子の向き設定の場合）、フレームの下方でナットによって固定される。好ましくは、ナットは、外れ防止構造のナットである。ナットは、接近を防止するカバーが設けられるのでもよい。
【００４０】
好適には、各Ｕ−ボルトの弓状の部分は、高分子材料のスリーブによって取り囲まれるのでもよい。これにより、金属のチェーンが金属のＵ−ボルトに作用することによる金属−金属磨耗を回避できる。
【００４１】
高分子材料からなるスリーブは、弓状の部分の近傍に成型されるのでもよい。
【００４２】
金属吊り下げチェーンは、吊り下げ手段に設けられ取り付けられるのでもよい。これにより、エンドユーザは、チェーンを手に入れ調節する手間を省くことができる。
【００４３】
本発明は、また、「Ｕ」の弓の部分近傍に高分子材料からなるスリーブが設けられたＵ−ボルトを提供する。
【００４４】
以下、本発明により形成されるゆりかご型揺り椅子が、付随の図面を参照しつつ、例のみを介して記載される。
付随の図面を参照して、子供用ゆりかご型揺り椅子１は、ステンレス鋼からなる硬いフレーム２と、硬いフレームに設けられ、揺り椅子に吊るすためのチェーンを取り付ける吊り下げ手段４と、弾性及びかとう性を有し、硬いフレーム２に取り付けられると共に釣り下がり、子供が座って脚を通して伸ばす開口部１０を有するバスケット状の台座８をなすウェッブ６とを備える。
【００４５】
フレーム２は、管状かつ楕円環状の２つの同一部品１２からなり、各部品は雌の端部１４と雄の端部１６を有し、１つの部品の雄の端部が他の部品の雌の端部にはめ込まれる。環状の部品は開口２０に受けられる木ネジ１８によって相互に固定される。環は弧状の端部２２と直線状の側部２４を有し、部品間の接続２６は直線状の側部において行われる。
【００４６】
ウェッブ６は、一般に約１２ｍｍの厚さであり、突出したリム３０を有する環状中央部２８と、フレーム２に接続されるリムと、上記の開口部１０を定義するリムの間空間とを有する。中央部２８は、交差し、中央部を平に保持する２つの外部リブ３２、３４を有する。図２から分かるように、外部リブ３２、３４は、ウェッブ６の一般の厚さよりも実質的に大きい深さを有する。外部リブ３６は、各リム３０の長さ方向に沿って設けられる。
【００４７】
各リム３０は、フレーム２が貫通し、ウェッブ６をフレームに取り付けるための端部に貫通口３８を有する。リム３０は、上記の貫通口３８を取り囲む目孔部４４に終端する複数本のステンレス鋼製のロープ４２からなる内部補強材４０を有する。各目孔部４４は、ステンレス鋼製のロープの端部を折り返し、ワイヤー又はケーブルの本体近傍で金属性フェルール４６内に締められ固定されることによって形成される。内部補強材４０は中央部２８内に埋め込まれて貫通し、いずれの補強材４０の目孔部４４もフレーム２の対向する側部に取り付けられる。
【００４８】
ウェッブ６は、展開したときに十字形状をなし、成型可能な高分子材料からなり、平面的に成型され、リム３０は、フレーム２に取り付けるために中央部２８から折り返される。内部補強材４０はウェッブ内に成型される。
【００４９】
高分子材料は、ショアー硬さが７０〜７５の範囲のＰＶＣ−ニトリルゴムである。
【００５０】
吊り下げ手段４は、フレーム内にボルト５２を受ける開口部５０を有し、開口部がＵ−ボルトを受けるために対で設けられている。成型された各ゴムスリーブ５４はフレーム上の各吊り下げ手段４近傍に設けられる。Ｕ−ボルト５２の突出部５６は、ネジが形成され、フレームを上方から下方に貫通し（揺り椅子の向き設定の場合）、フレームの下でナット５８によって固定され、そして、ナットは外れ防止構造のビンクスナットである。ナット５８は、それらへの接近を防止して故障を軽減するようにカバー６０が設けられている。
【００５１】
各Ｕ−ボルトの弧状部６２は、弧状部近傍が成型された高分子材料からなるスリーブ６４によって囲まれている。
【００５２】
それぞれが逆Ｙ形状を有する２つの金属吊り下げチェーン（図示せず）が設けられ、吊り下げ手段に取り付けられ、直線状の側部に平行に中心軸に沿って椅子を揺らすことができるようになっている。
【００５３】
まとめとして、図示したゆりかご型揺り椅子は、２つの主たる部品、即ち、（i）２つの半分の部品からなり接続されて楕円状のフレームを構成する鋼管のリングと、（ii）弾性とかとう性を有する高分子材料を十字状に成型して形成される、弾性とかとう性を有する台座、からなる。各フレームの半分の部品は、チェーンを吊るす部分としての開口と、フレームの２つの半分の部品を固定して一体にするための開口とを有する。台座は、上部のバーにスロット状に嵌り込むことができるように、最も端の部分に設けられた開口を介してフレームに固定される。かとう性を有する台座は、平に成型されリムは折り返されてフレームに固定される。完成した椅子は、幼い子供向けの安全な揺り椅子をなす。
【００５４】
図示したゆりかご型椅子は、従来知られているゆりかご型椅子よりもより高い安全性と快適性を提供する。
【００５５】
図面に記載した記号を参照して、適切な寸法の実施例が以下に示される。
【表１】
2008507387.tif 000003
【表２】
2008507387.tif 000004
【表３】
2008507387.tif 000005
【００５６】
図１０に関する寸法は、以下のとおりである。符号“ａ”は５９０ｍｍ、目孔部は１  ｉｎ（２５．４  ｍｍ）φのバーに適切に嵌る寸法、フェルールはプレス後１５ｍｍ長かつ７ｍｍφ、そして、ステンレス鋼製ワイヤーロープは３φで７×１９（ＷＳＣ：ラップ・スプリング・クラッチ）の構造を有する。ウェッブは単体で成型されたものが示されたが、いくつかの部品を組み合わせるのでもよい。
【図面の簡単な説明】
【００５７】
【図１】図１は、椅子の平面図である。
【図２】図２は、椅子の側面図である。
【図３】図３は、２つの同一の部材が椅子のフレームをなす拡大部分平面図である。
【図４】図４は、椅子に使用される成型されたスリーブの側面図である。
【図５】図５は、図４に対応する端面図である。
【図６】図６は、図５に対応する平面図である。
【図７】図７は、椅子に使用されるＵ−ボルトの底面図である。
【図８】図８は、図７に対応する側面図である。
【図９】図９は、図８の右側から見た図である。
【図１０】図１０は、椅子に使用される内部補強材の図である。
【符号の説明】
【００５８】
１  子供用ゆりかご型揺り椅子
２  フレーム
４  吊り下げ手段
６  ウェッブ
８  台座
１０  開口部
１２  管状かつ楕円環状の部品
１４  雌の端部
１６  雄の端部
１８  木ネジ
２０  開口
２２  弧状の端部
２４  直線状の側部
２６  接続
２８  中央部
３０  リム
３２、３４、３６  外部リブ
３８  貫通口
４０  内部補強材
４２  ロープ
４４  目孔部
４６  金属性フェルール
５０  開口部
５２  Ｕ−ボルト
５４  ゴムスリーブ
５６  突出部
５８  ナット
６０  カバー
６２  Ｕ−ボルトの弧状部
６４  スリーブ
【図１】
2008507387.tif 000006
【図２】
2008507387.tif 000007
【図３】
2008507387.tif 000008
【図４】
2008507387.tif 000009
【図５】
2008507387.tif 000010
【図６】
2008507387.tif 000011
【図７】
2008507387.tif 000012
【図８】
2008507387.tif 000013
【図９】
2008507387.tif 000014
【図１０】
2008507387.tif 000015
【国際調査報告】
2008507387.tif 000016
2008507387.tif 000017
2008507387.tif 000018
2008507387.tif 000019